(57)【要約】【課題】掲示板体１に選挙用ポスターを糊剤や接着剤、両面テープ等を用いて貼付することになり、そして、掲示期間が終了したら、透明フィルムを剥がすことにより、透明フィルムと一緒に選挙用ポスターの全部を掲示板体から取り外すことができ、容易に選挙用ポスターを剥がすことができ、しかも、地色層及び表記部を傷付けることもなく、透明フィルムを貼り替えるだけで掲示板体を再使用することができ、経済性を高めることができる。【解決手段】掲示板体１の表面に区画枠や標題、注意書等の表記部３を表記してなり、上記掲示板体の表面に地色層２を形成し、地色層上に上記表記部３を形成し、地色層及び該表記部上に透明フィルム４を貼付してなる。【選択図】        図１
2004184618.tif 000002
【特許請求の範囲】
【請求項１】
掲示板体の表面に区画枠や標題、注意書等の表記部を表記してなり、上記掲示板体の表面に地色層を形成し、該地色層上に上記表記部を形成し、該地色層及び該表記部上に透明フィルムを貼付してなることを特徴とする選挙用ポスター掲示板。
【請求項２】
掲示板体の表面に区画枠や標題、注意書等の表記部を表記してなり、上記掲示板体の表面に地色層を形成し、該地色層上に透明フィルムを貼付し、該透明フィルム上に上記表記部を形成してなることを特徴とする選挙用ポスター掲示板。
【請求項３】
掲示板体の表面に区画枠や標題、注意書等の表記部を表記してなり、上記掲示板体に地色層及び表記部を形成してなる印刷フィルムを貼付してなることを特徴とする選挙用ポスター掲示板。
【請求項４】
掲示板体の表面に区画枠や標題、注意書等の表記部を表記してなり、上記掲示板体の表面に地色層を形成し、該地色層上に表記部を形成してなる印刷フィルムを貼付してなることを特徴とする選挙用ポスター掲示板。
【請求項５】
上記地色層は上記掲示板体上に印刷、塗装又は地色フィルムの貼付により形成されていることを特徴とする請求項１、２又は４記載の選挙用ポスター掲示板。
【請求項６】
上記表記部は上記地色層上に印刷により形成されていることを特徴とする請求項１記載の選挙用ポスター掲示板。
【請求項７】
上記表記部は上記透明フィルム上に印刷により形成されていることを特徴とする請求項２記載の選挙用ポスター掲示板。
【発明の詳細な説明】
【０００１】
【発明の属する技術分野】
本発明は選挙期間中に選挙ポスターを貼付して掲示する際に用いられる選挙用ポスター掲示板に関するものである。
【０００２】
【従来の技術】
【０００３】
【特許文献】
特開平７−２９５４８９号公報
【０００４】
従来、この種の掲示板として、木材板や再生紙ボードに代え、金属板、特に、耐久性、耐錆性及び再使用性に優れたアルミニュウーム板やその合金板を用いた構造のものが知られている。
【０００５】
この場合、掲示板への選挙用ポスターの掲示は、画鋲止めが不可能であるから、糊剤や接着剤、両面テープ等を用い、風に飛ばされないないように、しっかりと貼付するようにしている。
【０００６】
【発明が解決しようとする課題】
しかしながら上記従来構造の場合、選挙用ポスターの掲示期間が終了したら、次期の選挙に再使用するため、掲示板から選挙用ポスターを一枚一枚ずつ剥がす必要があり、この際、選挙用ポスターは風に飛ばされないように強力に貼付されているため、簡単に剥がし取ることができず、水洗いしながらヘラ等で削り取ることもあり、非常に手間の掛かる作業となり、又、ヘラ等で削り取る際、掲示板表面に印刷された区画枠や標題、注意書等の表記部を傷付けてしまい、再度、表記部を印刷しなければならないことがあるという不都合を有している。
【０００７】
【課題を解決するための手段】
本発明はこのような不都合を解決することを目的とするもので、本発明のうちで、請求項１記載の発明は、掲示板体の表面に区画枠や標題、注意書等の表記部を表記してなり、上記掲示板体の表面に地色層を形成し、該地色層上に上記表記部を形成し、該地色層及び該表記部上に透明フィルムを貼付してなることを特徴とする選挙用ポスター掲示板にあり、又、請求項２記載の発明は、掲示板体の表面に区画枠や標題、注意書等の表記部を表記してなり、上記掲示板体の表面に地色層を形成し、該地色層上に透明フィルムを貼付し、該透明フィルム上に上記表記部を形成してなることを特徴とする選挙用ポスター掲示板にあり、又、請求項３記載の発明は、掲示板体の表面に区画枠や標題、注意書等の表記部を表記してなり、上記掲示板体に地色層及び表記部を形成してなる印刷フィルムを貼付してなることを特徴とする選挙用ポスター掲示板にあり、又、請求項４記載の発明は、掲示板体の表面に区画枠や標題、注意書等の表記部を表記してなり、上記掲示板体の表面に地色層を形成し、該地色層上に表記部を形成してなる印刷フィルムを貼付してなることを特徴とする選挙用ポスター掲示板にある。
【０００８】
又、請求項５記載の発明は、上記地色層は上記掲示板体上に印刷、塗装又は地色フィルムの貼付により形成されていることを特徴とするものであり、又、請求項６記載の発明は、上記表記部は上記地色層上に印刷により形成されていることを特徴とするものであり、又、請求項７記載の発明は、上記表記部は上記透明フィルム上に印刷により形成されていることを特徴とするものである。
【０００９】
【発明の実施の形態】
図１乃至５図は本発明の実施の形態例を示し、図１、図２は第一形態例、図３は第二形態例、図４は第三形態例、図５は第四形態例である。
【００１０】
図１、図２の第一形態例において、１は掲示板体であって、この場合、アルムニューム板からなり、この掲示板体１の表面全面に白色系統の地色層２を形成し、この地色層２上に黒色系統の区画枠３ａや表題３ｂ、注意書３ｃ等の表記部３を形成し、この地色層２及び表記部３上に透明フィルム４を貼付している。
【００１１】
この地色層２は、上記掲示板体１に印刷、塗装又は白色系統の地色フィルムの貼付により形成することができ、又、上記表記部３は上記地色層上に印刷により形成することができる。
【００１２】
この実施の第一形態例は上記構成であるから、掲示板体１の区画枠３ａ内に選挙用ポスターを糊剤や接着剤、両面テープ等を用いて貼付することになり、そして、掲示期間が終了したら、透明フィルム４を剥がすことにより、透明フィルム４と一緒に選挙用ポスターの全部を掲示板体１から取り外すことができ、容易に選挙用ポスターを剥がすことができ、しかも、地色層２及び表記部３を傷付けることもなく、透明フィルム４を貼り替えるだけで掲示板体１を再使用することができ、経済性を高めることができる。
【００１３】
又、この場合、地色層２を印刷、塗装又は白色系統の地色フィルムの貼付により形成しているから、地色層２を容易に形成することができ、又、この場合、上記表記部３は上記地色層２上に印刷により形成されているから、表記部を容易に形成することができる。
【００１４】
図３の第二形態例は別例構造を示し、この場合、掲示板体１の表面に地色層２を形成し、この地色層２上に透明フィルム４を貼付し、透明フィルム４上に上記表記部３を形成している。
【００１５】
この地色層２は、上記掲示板体１に印刷、塗装又は白色系統の地色フィルムの貼付により形成することができ、又、上記表記部３は上記透明フィルム４上に印刷により形成することができる。
【００１６】
この実施の第二形態例は上記構成であるから、第一形態例と同様に掲示板体１の区画枠３ａ内に選挙用ポスターを糊剤や接着剤、両面テープ等を用いて貼付することになり、掲示期間が終了したら、透明フィルム４を剥がすことにより、透明フィルム４と一緒に選挙用ポスターの全部を掲示板体１から取り外すことができ、容易に選挙用ポスターを剥がすことができ、しかも、地色層２を傷付けることもなく、透明フィルム４を貼り替えると共に透明フィルム４上に上記表記部３を形成するだけで再使用することができ、経済性を高めることができる。
【００１７】
又、この場合、地色層２を印刷、塗装又は白色系統の地色フィルムの貼付により形成しているから、地色層２を容易に形成することができ、又、この場合、上記表記部３は上記透明フィルム４上に印刷により形成されているから、表記部３を容易に形成することができる。
【００１８】
図４の第三形態例は別例構造を示し、この場合、掲示板体１の表面に地色層２及び表記部３を形成してなる印刷フィルム５を形成している。
【００１９】
この実施の第三形態例は上記構成であるから、掲示期間が終了したら、印刷フィルム５を剥がすことにより、印刷フィルム５と一緒に選挙用ポスターの全部を掲示板体１から取り外すことができ、容易に選挙用ポスターを剥がすことができ、掲示板体１の表面を傷付けることもなく、印刷フィルム５を貼り替えるだけで再使用することができ、経済性を高めることができる。
【００２０】
図５の第四形態例は別例構造を示し、この場合、掲示板体１の表面に地色層２を形成し、この地色層２上に表記部３を形成してなる印刷フィルム６を形成している。
【００２１】
この地色層２は、上記掲示板体１に印刷、塗装又は白色系統の地色フィルムの貼付により形成することができる。
【００２２】
この実施の第四形態例は上記構成であるから、第一形態例と同様に、掲示期間が終了したら、印刷フィルム６を剥がすことにより、印刷フィルム６と一緒に選挙用ポスターの全部を掲示板体１から取り外すことができ、容易に選挙用ポスターを剥がすことができ、しかも、地色層２を傷付けることもなく、印刷フィルム６を貼り替えるだけで再使用することができ、経済性を高めることができる。
【００２３】
又、この場合、地色層２を印刷、塗装又は白色系統の地色フィルムの貼付により形成しているから、地色層２を容易に形成することができる。
【００２４】
尚、本発明は上記実施の形態例に限られるものではなく、掲示板体１の形状や構造、表記部３の形態等は適宜変更して設計される。
【００２５】
【発明の効果】
本発明は上述の如く、請求項１記載の発明にあっては、掲示板体に選挙用ポスターを糊剤や接着剤、両面テープ等を用いて貼付することになり、そして、掲示期間が終了したら、透明フィルムを剥がすことにより、透明フィルムと一緒に選挙用ポスターの全部を掲示板体から取り外すことができ、容易に選挙用ポスターを剥がすことができ、しかも、地色層及び表記部を傷付けることもなく、透明フィルムを貼り替えるだけで掲示板体を再使用することができ、経済性を高めることができる。
【００２６】
又、請求項２記載の発明にあっては、掲示期間が終了したら、透明フィルムを剥がすことにより、透明フィルムと一緒に選挙用ポスターの全部を掲示板体から取り外すことができ、容易に選挙用ポスターを剥がすことができ、地色層を傷付けることもなく、透明フィルムを貼り替えると共に透明フィルム上に上記表記部を形成するだけで再使用することができ、経済性を高めることができる。
【００２７】
又、請求項３記載の発明にあっては、掲示期間が終了したら、印刷フィルムを剥がすことにより、印刷フィルムと一緒に選挙用ポスターの全部を掲示板体から取り外すことができ、容易に選挙用ポスターを剥がすことができ、掲示板体の表面を傷付けることもなく、印刷フィルムを貼り替えるだけで再使用することができ、経済性を高めることができる。
【００２８】
又、請求項４記載の発明にあっては、掲示期間が終了したら、印刷フィルムを剥がすことにより、印刷フィルムと一緒に選挙用ポスターの全部を掲示板体から取り外すことができ、容易に選挙用ポスターを剥がすことができ、地色層を傷付けることもなく、印刷フィルムを貼り替えるだけで再使用することができ、経済性を高めることができる。
【００２９】
又、請求項５記載の発明にあっては、上記地色層は上記掲示板体上に印刷、塗装又は地色フィルムの貼付により形成されているので、地色層を容易に形成することができ、又、請求項６記載の発明あっては、上記表記部は上記地色層上に印刷により形成されているから、表記部を容易に形成することができ、又、請求項７記載の発明あっては、上記表記部は上記透明フィルム上に印刷により形成されているから、表記部を容易に形成することができる。
【００３０】
以上の如く、所期の目的を充分達成することができる。
【図面の簡単な説明】
【図１】本発明の実施の第一形態例の前面図である。
【図２】本発明の実施第一の形態例の製作工程図である。
【図３】本発明の実施の第二形態例の製作工程図である。
【図４】本発明の実施の第三形態例の製作工程図である。
【図５】本発明の実施の第四形態例の製作工程図である。
【符号の説明】
１  掲示板体
２  地色層
３  表記部
３ａ  区画枠
３ｂ  標題
３ｃ  注意書
４  透明フィルム
５  印刷フィルム
６  印刷フィルム
【図１】
2004184618.tif 000003
【図２】
2004184618.tif 000004
【図３】
2004184618.tif 000005
【図４】
2004184618.tif 000006
【図５】
2004184618.tif 000007